【事件の表示】
　特願２００９−　　　３７７「移動通信システムにおける双方向データのサービスを提供する方法」拒絶査定不服審判事件〔平成２１年　６月　４日出願公開、特開２００９−１２４７３１、請求項の数（１１）〕について、次のとおり審決する。
【結　論】
　原査定を取り消す。
　本願の発明は、特許すべきものとする。
【理　由】
第１．手続の経緯
　本願は、平成１５年９月９日（パリ条約に基づく優先権主張　２００２年９月１３日　大韓民国）を国際出願日とする国際出願である特願２００４−５３５２６２号の一部を平成２１年１月５日に特願２００９−０００３７７号として新たな特許出願としたものであって、平成２４年３月２１日付けで拒絶査定がなされ、これに対し、平成２４年７月２７日に拒絶査定不服審判が請求され、同時に手続補正がなされ、平成２５年６月１８日付けで、前記平成２４年７月２７日付けの手続補正が却下されるとともに、当審から拒絶理由（以下、「当審拒絶理由」という。）が通知されたのに対して、平成２５年９月２５日付けで意見書が提出されるとともに手続補正がなされたものである。
　　
　　
第２．本願発明
　本願の請求項１に係る発明（以下、「本願発明」という。）は、平成２５年９月２５日付け手続補正書の特許請求の範囲の請求項１に記載された、次の事項により特定されるものである。
　　　　　　　　　　　
「【請求項１】
　複数の端末機と、前記複数の端末機と通信する基地局と、前記基地局に接続され、所定のデータを少なくとも１つの端末機に提供するサーバーとを含む移動通信システムにおいて、前記基地局が前記少なくとも１つの端末機に対する双方向データサービスを提供する方法であって、
　前記複数の端末機のうち少なくとも一つの端末機から双方向データサービスを要求する発信メッセージ (origination Message)を受信するステップと、
　前記双方向データサービスを要求した端末機に、前記双方向データサービスのためのチャンネル割り当て情報を少なくとも含むチャンネル割り当てメッセージ（Extended Channel Assignment Message)を送信するステップと、
　前記双方向データサービス中に前記双方向データサービスを要求した全ての端末機が共通に受信することができる順方向共通チャンネルを通して前記サーバーから受信したデータを前記双方向データサービスを要求した端末機に送信するステップと、
　前記双方向データサービス中に前記順方向共通チャンネルを通してデータを受信した前記双方向データサービスを要求した端末機から逆方向専用チャンネルを通してデータを受信するステップと、を含み、
　前記チャンネル割り当て情報は、前記逆方向専用チャンネルの電力を制御するための共通電力制御チャンネルを割り当てるための情報を含むことを特徴とする方法。」
　　　　　　
　　　　　　
第３．当審拒絶理由の概要
　本願発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　
　　　　　　　　　　　　　　　　記
　　　　　
　　　　　　　　　　　　刊　行　物　一　覧 
 １．国際公開第０１／６５８６９号 
 ２．特表２００２−５２１８６３号公報 
 ３．欧州特許出願公開第９９３１２８号明細書 
　　　　　
　　　　　
第４．引用発明
　当審拒絶理由に引用された刊行物１には、図面とともに、以下の事項が記載されている。ただし、下線は当審が付加した。
　　　　　
（ａ）第４頁第３２行−第７頁第９行
「　　　Base stations 101-102 will join a multicast session and forward it over the air interface via a high-speed data channel (supplemental channel) if there is at least one remote unit 113-118 that requested participation in the session. Once a remote unit requests participation in the multicast event, a common supplemental channel is assigned to the remote unit, and the multicast session is broadcast to all remote units currently participating in the multicast event.
　　　FIG. 2 is a block diagram of base stations 101-102 of FIG. 1 in accordance with the preferred embodiment of the present invention. Base stations 101-102 comprises logic unit 201, transmit/receive circuitry comprising one or more common control channel circuits 204, one or more fundamental channel circuits 203, one or more supplemental channel circuits 205, summer 211, and modulator 215. In the preferred embodiment of the present invention, communication to remote units 113-118 may take place utilizing the supplemental channel circuitry 205 and/or fundamental channel circuitry 203. In particular, base stations 101-102 utilize two classes of channels defined for both forward and reverse transmission. In the preferred embodiment, fundamental channels 203 are similar to existing CDMA traffic channels used for voice and signaling. Similarly, common control channel 204 is used for passing system information and control signaling, along with multicast advertisement information.
　　　When transmitting a multicast session (or group call), fundamental channels 203 or common control channels 204 (i.e., low data-rate channels) are utilized to transmit Internet Group Management Protocol (IGMP) messages for subscribing and de-subscribing to a multicast session. Fundamental channels 203 are also utilized to receive and transmit voice data to remote units 113-118 involved in the group call. CDMA traffic and common control channels are described in detail in IS-95A as well as the RTT Candidate Submission Document. Additionally, soft handoff (simultaneous communication utilizing more than one fundamental channel circuit 203) is supported utilizing fundamental channel circuitry 203.
　　　Supplemental channel circuitry 205 is utilized for communicating high data rate services (e.g., multicast packet data, video, . . ., etc.) to remote units 113-118. The data rate of the supplemental channels is specified prior to transmission. Multiple data sources are time multiplexed on this channel. In addition, the Quality-of-Service (e.g., Frame Error Rate (FER), Bit Error Rate (BER) and/or Transmission Delay) of this channel may be set and operated independently of the fundamental channel. A description of both a supplemental and fundamental channel can be found in US Pat. No. 6,144,651 (Attorney Docket No. CE03870R) Rihchiuso, et al., assigned to the assignee of the present invention, and incorporated by reference herein.
　　　Data transmission and channel assignment from base stations 101-102 in accordance with the preferred embodiment of the present invention occurs as follows: Reverse Access (Common Control) channel circuitry receives a subscribe message from a remote unit to join a multicast session. The subscribe message is preferably transmitted over a traffic channel that has already been established between the remote unit and the base station. As described above, the subscribe message comprises an IGMP message for subscribing to the multicast session. Logic unit 201 determines if it is currently subscribed to the requested multicast session (i.e., another remote unit is currently subscribed to the session) and if so, an acknowledgment (Ack) message is sent to the remote unit. In the preferred embodiment of the present invention the Ack message contains the current channel (i.e., the assigned Walsh code and the long code), with the long code being a function of the multicast IP address. In the preferred embodiment of the present invention the Ack message contains the Supplemental Channel Walsh code and long code that is used by the remote unit to demodulate the multicast session. In the preferred embodiment, if base stations 101-102 are not currently subscribed to the multicast session, logic unit 201 determines the multicast address and sends a query message requesting to join the multicast session.
　　　During the multicast session, each remote unit 113-118 receives downlink supplemental transmission 109-1 10 that contains high-speed data (e.g., video). In the preferred embodiment of the present invention a single supplemental channel is utilized for each base station 101-102. On the uplink side, the supplemental channel is shared among all remote units, however only one remote unit 113-118 is allowed to transmit at a time utilizing the uplink supplemental channel. The remote unit, that is currently transmitting utilizing the uplink supplemental channel, has its transmission broadcast (via downlink supplemental channels 109-110) to all other remote units participating in the multicast. For example, as shown in FIG. 1, remote units 113-118 are participating in a multicast session, with remote unit 118 supplying high speed data via uplink supplemental channel 111. The high-speed data is transmitted to all remote units 113-118 involved in the session via downlink supplemental channels 109-110.  
　　　Even though only one remote unit 113-118 can simultaneously supply high-speed data to the multicast session, all remote units 113-118 can simultaneously participate (by voice and all control messages) in the session via fundamental traffic channels 103-108. Thus, in accordance with the preferred embodiment of the present invention, all remote units 113-1 18 can supply voice traffic via uplink fundamental channels 103-108. The voice traffic for all remote units 113-118 is combined (discussed below) and transmitted to all remote units 113-118 via a downlink fundamental traffic channel. 」
（当審訳：
　　
基地局１０１〜１０２はマルチキャスト・セッションに参加して、セッションに参加することを要求した少なくとも一つのリモート・ユニット１１３〜１１８が存在する場合に、高速データ・チャネル（補助チャネル(supplemental channel)）を介してエア・インタフェース上でこれを転送する。リモート・ユニットがマルチキャスト・イベントへの参加を要求すると、共通の補助チャネルはこのリモート・ユニットに割当てられ、マルチキャスト・セッションはこのマルチキャスト・イベントに現在参加中の全リモート・ユニットにブロードキャストされる。
　　図２は、本発明の好適な実施例による図１の基地局１０１〜１０２のブロック図である。基地局１０１〜１０２は、論理ユニット２０１と、一つまたはそれ以上の共通制御チャネル回線２０４，一つまたはそれ以上の基本チャネル回線２０３および一つまたはそれ以上の補助チャネル回線２０５からなる送信／受信回線と、加算器(summer)２１１と、変調器２１５とによって構成される。本発明の好適な実施例では、リモート・ユニット１１３〜１１８への通信は、補助チャネル回線２０５および／または基本チャネル回線(fundamental channel circuit)２０３を利用して行うことができる。特に、基地局１０１〜１０２は、順方向送信および逆方向送信の両方について定められた二種類のチャネルを利用する。好適な実施例では、基本チャネル２０３は、音声およびシグナリング用に利用される既存のＣＤＭＡトラヒック・チャネルと同様である。同様に、共通制御チャネル２０４は、マルチキャスト広告情報とともに、システム情報および制御シグナリングを渡すために用いられる。
　　
マルチキャスト・セッション（または群呼）を送信する場合、マルチキャスト・セッションへの加入(subscribe)または離脱(de-subscribe)するためのＩＧＭＰ(Internet Group Management Protocol)メッセージを送信するために、基本チャネル２０３または共通制御チャネル２０４（すなわち、低データ・レート・チャネル）が利用される。また、基本チャネル２０３は、群呼に関与するリモート・ユニット１１３〜１１８への音声データの送受信を行うために利用される。
　　
補助チャネル回線２０５は、高データ・レート・サービス（例えば、マルチキャスト・パケット・データ，ビデオなど）をリモート・ユニット１１３〜１１８に通信するために利用される。
　　
本発明の好適な実施例による基地局１０１〜１０２からのデータ送信およびチャネル割当は、次のように行われる。逆方向アクセス（共通制御）チャネル回線は、マルチキャスト・セッションに参加するリモート・ユニットから加入メッセージ(subscribe message)を受信する。好ましくは、この加入メッセージは、リモート・ユニットと基地局との間ですでに確立済みのトラヒック・チャネル上で送信される。
　　
マルチキャスト・セッション中に、各リモート・ユニット１１３〜１１８は、高速データ（例えば、ビデオ）を含むダウンリンク補助送信１０９から１１０を受信する。本発明の好適な実施例では、各基地局１０１〜１０２に対して一つの補助チャネルが利用される。
アップリンク補助チャネルを利用して現在送信中のリモート・ユニットは、マルチキャストに参加する全ての他のリモート・ユニットに対して、自局の送信を（ダウンリンク補助チャネル１０９〜１１０を介して）ブロードキャストさせる。例えば、図１に示すように、リモート・ユニット１１３〜１１８はマルチキャスト・セッションに参加し、リモート・ユニット１１８がアップリンク補助チャネル１１１を介して高速データを供給している。高速データは、セッションに関与する全リモート・ユニットにダウンリンク補助チャネル１０９〜１１０を介して送信される。
　　一つのリモート・ユニット１１３〜１１８のみが高速データをマルチキャスト・セッションに同時に供給できるが、
全リモート・ユニット１１３〜１１８は基本トラヒック・チャネル１０３〜１０８を介して（音声および全制御メッセージにより）セッションに同時に参加できる。従って、本発明の好適な実施例に従って、全リモート・ユニット１１３〜１１８はアップリンク基本チャネル１０３〜１０８を介して音声トラヒックを供給できる。全リモート・ユニット１１３〜１１８の音声トラヒックは合成され（以下で説明する）、ダウンリンク基本トラヒック・チャネルを介して全リモート・ユニット１１３〜１１８に送信される。
　　　　　
（ｂ）第７頁第３１−３５行
「　　　FIG. 3 is a flow chart showing operation of the base stations of FIG. 1 and FIG. 2 in accordance with the preferred embodiment of the present invention. The following description assumes that remote units 113-118 are actively participating in a group call, each having a unique traffic channel assigned, and a shared uplink and downlink supplemental channel assigned. 」
（当審訳：
　　図３は、本発明の好適な実施例による、図１および図２の基地局の動作を示すフローチャートである。以下の説明では、
リモート・ユニット１１３〜１１８が群呼に能動的に参加中であり、各ユニットは割当てられた固有のトラヒック・チャネルと、割当てられた共用アップリンクおよびダウンリンク補助チャネルとを有する
　　　　
　したがって、刊行物１には次の発明（以下、「引用発明」という。）が記載されていると認められる。
　　　
「基地局１０１〜１０２はマルチキャスト・セッションに参加して、セッションに参加することを要求した少なくとも一つのリモート・ユニット１１３〜１１８が存在する場合に、高速データ・チャネル（補助チャネル(supplemental channel)）を介してエア・インタフェース上でこれを転送し、
　リモート・ユニットがマルチキャスト・イベントへの参加を要求すると、共通の補助チャネルはこのリモート・ユニットに割当てられ、マルチキャスト・セッションはこのマルチキャスト・イベントに現在参加中の全リモート・ユニットにブロードキャストされ、
　マルチキャスト・セッション（または群呼）を送信する場合、マルチキャスト・セッションへの加入(subscribe)または離脱(de-subscribe)するためのＩＧＭＰ(Internet Group Management Protocol)メッセージを送信するために、基本チャネル２０３または共通制御チャネル２０４（すなわち、低データ・レート・チャネル）が利用され、また、基本チャネル２０３は、群呼に関与するリモート・ユニット１１３〜１１８への音声データの送受信を行うために利用され、
　補助チャネル回線２０５は、高データ・レート・サービス（例えば、マルチキャスト・パケット・データ，ビデオなど）をリモート・ユニット１１３〜１１８に通信するために利用され、
　好適な実施例によれば、逆方向アクセス（共通制御）チャネル回線は、マルチキャスト・セッションに参加するリモート・ユニットから加入メッセージ(subscribe message)を受信し、この加入メッセージは、リモート・ユニットと基地局との間ですでに確立済みのトラヒック・チャネル上で送信され、
　マルチキャスト・セッション中に、各リモート・ユニット１１３〜１１８は、高速データ（例えば、ビデオ）を含むダウンリンク補助送信１０９から１１０を受信し、好適な実施例では、各基地局１０１〜１０２に対して一つの補助チャネルが利用され、
　アップリンク補助チャネルを利用して現在送信中のリモート・ユニットは、マルチキャストに参加する全ての他のリモート・ユニットに対して、自局の送信を（ダウンリンク補助チャネル１０９〜１１０を介して）ブロードキャストさせ、例えば、リモート・ユニット１１３〜１１８はマルチキャスト・セッションに参加し、リモート・ユニット１１８がアップリンク補助チャネル１１１を介して高速データを供給しており、高速データは、セッションに関与する全リモート・ユニットにダウンリンク補助チャネル１０９〜１１０を介して送信され、
　全リモート・ユニット１１３〜１１８は基本トラヒック・チャネル１０３〜１０８を介して（音声および全制御メッセージにより）セッションに同時に参加でき、従って、全リモート・ユニット１１３〜１１８はアップリンク基本チャネル１０３〜１０８を介して音声トラヒックを供給でき、全リモート・ユニット１１３〜１１８の音声トラヒックは合成され、ダウンリンク基本トラヒック・チャネルを介して全リモート・ユニット１１３〜１１８に送信される方法であって、
　リモート・ユニット１１３〜１１８が群呼に能動的に参加中であり、各ユニットは割当てられた固有のトラヒック・チャネルと、割当てられた共用アップリンクおよびダウンリンク補助チャネルとを有する、
　方法。」
　　　
　　
第５．本願発明と引用発明の一致点・相違点
　　　　
　引用発明のリモート・ユニット１１３〜１１８が、本願発明の「複数の端末機」に相当する。
　引用発明の基地局１０１〜１０２が、本願発明の「前記複数の端末機と通信する基地局」に相当する。
　引用発明において、基本チャネル２０３は、群呼に関与するリモート・ユニット１１３〜１１８への
音声データ
　引用発明において、マルチキャスト・セッション中に、各リモート・ユニット１１３〜１１８は、高速データ（例えば、ビデオ）を含むダウンリンク補助送信１０９から１１０を受信し、且つ全リモート・ユニット１１３〜１１８はアップリンク基本チャネル１０３〜１０８を介して音声トラヒックを供給できるから、各リモート・ユニット１１３〜１１８は、双方向データサービスを受けている。
　刊行物１の第１２頁第３３−３４行に「For example, although remote units 113-118 are shown as mobile units, 」（当審訳：例えば、リモート・ユニット１１３〜１１８は移動ユニットとして示したが、）と記載されているから、引用発明のリモート・ユニット１１３〜１１８は、移動ユニットである。
　したがって、本願発明と引用発明とは、「複数の端末機と、前記複数の端末機と通信する基地局を含む移動通信システムにおいて、前記基地局が前記少なくとも１つの端末機に対する双方向データサービスを提供する方法」である点で一致している。
　　　　　　　　　　　　　　　　　　
　引用発明の好適な実施例によれば、逆方向アクセス（共通制御）チャネル回線は、マルチキャスト・セッションに参加するリモート・ユニットから加入メッセージ(subscribe message)を受信する。この逆方向アクセス（共通制御）チャネル回線が、マルチキャスト・セッションに参加するリモート・ユニットから加入メッセージ(subscribe message)を受信するステップが、本願発明の「前記複数の端末機のうち少なくとも一つの端末機から双方向データサービスを要求する発信メッセージ (origination Message)を受信するステップ」に相当する。
　　　　　　
［順方向共通チャンネルの対応について］
　引用発明では、リモート・ユニットがマルチキャスト・イベントへの参加を要求すると、共通の補助チャネルが、このリモート・ユニットに割当てられる。また、各リモート・ユニット１１３〜１１８が、高速データ（例えば、ビデオ）を含むダウンリンク補助送信１０９から１１０を受信するに際し、好適な実施例では、各基地局１０１〜１０２に対して一つの補助チャネルが利用される。したがって、引用発明のダウンリンク補助チャネル１０９〜１１０は、各基地局内の複数のリモート・ユニットに対して共通であり、本願発明の「順方向共通チャンネル」に相当する。
　したがって、本願発明と引用発明とは、「前記双方向データサービス中に前記双方向データサービスを要求した全ての端末機が共通に受信することができる順方向共通チャンネルを通してデータを前記双方向データサービスを要求した端末機に送信するステップ」を含む点で一致している。
　　　　　　　　
［逆方向専用チャンネルの対応について］
　引用発明では、全リモート・ユニット１１３〜１１８は基本トラヒック・チャネル１０３〜１０８を介して（音声および全制御メッセージにより）セッションに同時に参加でき、従って、全リモート・ユニット１１３〜１１８はアップリンク基本チャネル１０３〜１０８を介して音声トラヒックを供給でき、且つ各リモート・ユニット１１３〜１１８は割当てられた固有のトラヒック・チャネルを有している。
　全リモート・ユニット１１３〜１１８が同時にセッションに参加して、アップリンク基本チャネル１０３〜１０８を介して音声トラヒックを供給するためには、アップリンク基本チャネル１０３〜１０８が、各リモート・ユニット１１３〜１１８に専用である必要がある。また、トラヒック・チャネルは、各リモート・ユニット１１３〜１１８に固有である。
　したがって、引用発明のアップリンク基本チャネル１０３〜１０８が、本願発明の「逆方向専用チャンネル」に相当し、本願発明と引用発明とは、「前記双方向データサービス中に前記順方向共通チャンネルを通してデータを受信した前記双方向データサービスを要求した端末機から逆方向専用チャンネルを通してデータを受信するステップ」を含む点で一致している。
　　　　　　
　したがって、本願発明と引用発明の一致点・相違点は、次のとおりである。
　　　
［一致点］
「複数の端末機と、前記複数の端末機と通信する基地局と、前記基地局に接続され、所定のデータを少なくとも１つの端末機に提供するサーバーとを含む移動通信システムにおいて、前記基地局が前記少なくとも１つの端末機に対する双方向データサービスを提供する方法であって、
　前記複数の端末機のうち少なくとも一つの端末機から双方向データサービスを要求する発信メッセージ (origination Message)を受信するステップと、
　前記双方向データサービス中に前記双方向データサービスを要求した全ての端末機が共通に受信することができる順方向共通チャンネルを通してデータを前記双方向データサービスを要求した端末機に送信するステップと、
　前記双方向データサービス中に前記順方向共通チャンネルを通してデータを受信した前記双方向データサービスを要求した端末機から逆方向専用チャンネルを通してデータを受信するステップと、を含む、
　ことを特徴とする方法。」である点。
　　　　　　　
［相違点１］
　本願発明は、「前記双方向データサービスを要求した端末機に、前記双方向データサービスのためのチャンネル割り当て情報を少なくとも含むチャンネル割り当てメッセージ（Extended Channel Assignment Message)を送信するステップ」を含むのに対して、引用発明では、かかるステップが明記されていない点。
　　　　
［相違点２］
　本願発明では、サーバーから受信したデータを、順方向共通チャンネルを通して端末機に送信するのに対して、引用発明では、ダウンリンク補助チャネル１０９〜１１０を介して、全リモート・ユニットに送信されるデータは、リモート・ユニット１１８がアップリンク補助チャネル１１１を介して供給した高速データである点。
　　　　　
［相違点３］
　本願発明では、チャンネル割り当て情報は、逆方向専用チャンネルの電力を制御するための共通電力制御チャンネルを割り当てるための情報を含むのに対して、引用発明には、かかる事項が明記されていない点。
　　　　
　　　　
第６．相違点についての検討
　　　　
［相違点１について］
　引用発明では、リモート・ユニットがマルチキャスト・イベントへの参加を要求すると、共通の補助チャネルがこのリモート・ユニットに割当てられ、また、各リモート・ユニット１１３〜１１８は、割当てられた固有のトラヒック・チャネルと、割当てられた共用アップリンクおよびダウンリンク補助チャネルとを有するから、引用発明において、マルチキャスト・イベントへの参加を要求したリモート・ユニットに対して、共通の補助チャネルを割り当てるメッセージを送信することにより、相違点１に係る構成とすることは、当業者が容易に想到できたことである。
　　　　　　　
［相違点２について］
　当審拒絶理由に引用された刊行物２の段落番号【０００２】に「マルチキャスト・パケット・データは、サーバから送信され、少なくとも１つのリモート・ユニットに宛てられる。」と記載されているように、マルチキャスト・データを、サーバから基地局経由でリモート・ユニットに送信することは周知であるから、引用発明において、サーバから基地局が受信したマルチキャスト・データを、ダウンリンク補助チャネル１０９〜１１０を通してリモート・ユニット１１３〜１１８に送信することは、容易に想到できたことである。
　　　　　　
［相違点３について］
　当審拒絶理由に引用された刊行物３の段落番号［0015］に 
 「According to the present invention a communications system includes a base station, a plurality of subscriber units, a downlink for communication from the base station to the subscriber units, and an uplink for communication from the subscriber units to the base station, wherein a control channel is provided on the downlink and characterised in that said control channel is a common control channel dedicated to power control.」 
（当審訳：本発明によれば、通信システムは、基地局、複数の加入者ユニット、基地局から加入者ユニットへの通信のためのダウンリンク、加入者ユニットから基地局への通信のためのアップリンクを含んでいる。ここで制御チャネルがダウンリンク上で規定され、該制御チャネルは、該制御チャネルが電力制御専用の共通制御チャネルであることによって特徴付けられる。）と記載されている。 
　刊行物３の共通制御チャネルは、ダウンリンク上で規定されているから、アップリンクの送信電力を制御する共通電力制御チャネルであることが明らかである。 
　したがって、引用発明において、アップリンク基本チャネル１０３〜１０８の送信電力を、基地局から共通電力制御チャネルを介してリモート・ユニット１１３〜１１８に送信された電力制御情報によって制御することは、刊行物３に記載された発明から容易に想到されたことである。 
　　　　　　
　しかしながら、引用発明において、加入メッセージは、リモート・ユニットと基地局との間ですでに確立済みのトラヒック・チャネル上で送信される。引用発明において、上記のようにアップリンク基本チャネル１０３〜１０８の送信電力制御を行うのであれば、このトラヒック・チャネルが確立された状態において、既に、アップリンク基本チャネル１０３〜１０８の送信電力を制御するための共通電力制御チャネルは、割り当て済みであると考えられる。他方、上記［相違点１について］で検討した共通の補助チャネルを割り当てるメッセージは、加入メッセージの送信後に送信される。したがって、該共通の補助チャネルを割り当てるメッセージが、アップリンク基本チャネル１０３〜１０８の送信電力を制御するための共通電力制御チャネルの割り当て情報を含むとは考え難い。
　したがって、刊行物３に記載された発明を考慮しても、相違点３に係る構成とすることが、容易であったとはいえない。                                 　
　　　　　　　　　　　
　したがって、本願発明は、引用発明及び刊行物２，３に記載された発明に基づいて、当業者が容易に発明をすることができたとはいえない。
　　　　　
　　　　　
第７．むすび
　以上のとおり、本願発明は、引用発明及び刊行物２，３に記載された発明に基づいて、当業者が容易に発明をすることができたものとすることができないから、当審拒絶理由によっては本願を拒絶することはできない。
　また、他に本願を拒絶すべき理由を発見しない。
　よって、結論のとおり審決する。